(57)【特許請求の範囲】
【請求項１】
一方向に開口部を有する箱状の箱体の内部に、少なくとも物体側より順にレンズを有する第１可動レンズ枠、他のレンズを有する第２可動レンズ枠を備えたレンズユニットにおいて、
前記箱体の内部に設けられた光軸と平行に延び、且つ光軸と直交する平面上で重ならないように配置された第１案内軸、第２案内軸及び第３案内軸と、
前記第１案内軸を摺動するガイドブッシュ部と前記第２案内軸を摺動する回転止め部とを有する前記第１可動レンズ枠と、
前記第２案内軸を摺動するガイドブッシュ部と前記第３案内軸を摺動する回転止め部とを有する前記第２可動レンズ枠と、を備え、
前記第2稼動レンズ枠に設けられたガイドブッシュ部は、前記第2稼動レンズ枠に設けられた回転止め部よりも光軸方向に長く構成され、
前記第１稼動レンズ枠に設けられたガイドブッシュ部は、前記第１稼動レンズ枠と前記第２稼動レンズ枠が光軸方向に近づいた時に、前記第２稼動レンズ枠に設けられた回転止め部の光軸方向の位置に対し、光軸方向に入り込むように前記第１稼動レンズ枠に設けられた回転止め部よりも長く構成したことを特徴とするレンズユニット。
【請求項２】
前記箱体の内部に、第１案内軸、第２案内軸及び第３案内軸の少なくとも１つの案内軸の両端を位置決めする位置決め溝を有することを特徴とする請求項１に記載のレンズユニット。
【請求項３】
前記位置決め溝で位置決めされた前記案内軸の両端を保持する案内軸保持部材を備えたことを特徴とする請求項２に記載のレンズユニット。
【請求項４】
前記案内軸保持部材が前記第１案内軸、前記第２案内軸及び前記第３案内軸の少なくとも１つの案内軸の両端を前記箱体に対して位置決めし、保持することを特徴とする請求項３に記載のレンズユニット。
【請求項５】
請求項１、２、３または４に記載のレンズユニットにおいて、前記第１可動レンズ枠と前記第２可動レンズ枠との間に、固定レンズを有する固定レンズ枠を備えたことを特徴とするレンズユニット。
【請求項６】
一方向に開口部を有する箱状の箱体の内部に、少なくとも物体側より順にレンズを有する第１可動レンズ枠、他のレンズを有する第２可動レンズ枠を備えたレンズユニットにおいて、
前記箱体の内部に設けられた光軸と平行に延び、且つ光軸と直交する平面上で重ならないように配置された光軸と平行な第１案内軸、第２案内軸、第３案内軸及び第４案内軸と、
前記第１案内軸を摺動するガイドブッシュ部と前記第２案内軸を摺動する回転止め部とを有する第１可動レンズ枠と、
前記第３案内軸を摺動するガイドブッシュ部と前記第４案内軸を摺動する回転止め部、または、前記第４案内軸を摺動するガイドブッシュ部と前記第３案内軸を摺動する回転止め部を有する第２可動レンズ枠と、を備え、
前記第１稼動レンズ枠に設けられたガイドブッシュ部は、前記第１稼動レンズ枠と前記第２稼動レンズ枠が光軸方向に近づいた時に、前記第２稼動レンズ枠に設けられた回転止め部の光軸方向の位置に対し、光軸方向に入り込むように前記第１稼動レンズ枠に設けられた回転止め部よりも長く構成し、
前記第2稼動レンズ枠に設けられたガイドブッシュ部は、前記第１稼動レンズ枠と前記第２稼動レンズ枠が光軸方向に近づいた時に、前記第1稼動レンズ枠に設けられた回転止め部の光軸方向の位置に対し、光軸方向に入り込むように前記第2稼動レンズ枠に設けられた回転止め部よりも長く構成したことを特徴とするレンズユニット。
【請求項７】
前記箱体に第１案内軸、第２案内軸、第３案内軸及び第４案内軸の少なくとも１つの案内軸の両端を位置決めする位置決め溝を有することを特徴とする請求項6に記載のレンズユニット。
【請求項８】
前記第１案内軸、第２案内軸、第３案内軸及び第４案内軸の少なくとも１つの両端を保持する案内軸保持部材を有することを特徴とする請求項7に記載のレンズユニット。
【請求項９】
前記案内軸保持部材が、前記第１案内軸、前記第２案内軸、前記第３案内軸及び前記第４案内軸の少なくとも１つの両端を箱体に対し位置決めし、保持することを特徴とする請求項8に記載のレンズユニット。
【請求項１０】
請求項6,7または8に記載のレンズユニットにおいて、
前記第１可動レンズ枠と前記第２可動レンズ枠との間に、固定レンズを有する固定レンズ枠を備えたことを特徴とするレンズユニット。
【発明の詳細な説明】
【０００１】
【発明の属する技術分野】
本発明は、レンズユニットに関し、さらに詳しくは、レンズユニット内に設けられた可動レンズ枠を円滑に作動させる技術に関する。
【０００２】
【従来の技術】
近年、ビデオカメラ、スチールカメラ及びデジタルスチールカメラ等に用いられるレンズユニットは、光軸方向に平行に移動する可動レンズを有する可動レンズ枠が含まれ、より円滑な可動レンズ枠の作動が求められてきている。このような、レンズユニットとして、例えば、２つの可動レンズ枠を有し、２つの案内軸により摺動するレンズユニットが知られている。
【０００３】
一方、レンズユニットの構造として、従来より、レンズ光軸と平行な方向よりレンズ等を組込んで行くタイプと、従来とは異なりレンズ光軸に対して直交する方向より主にレンズ等を組み立てて行く箱形タイプ等が知られている。
【０００４】
ここで、２つの可動レンズ枠を有し、２つの案内軸により摺動するレンズユニットで、従来とは異なりレンズ光軸に対して直交する方向より主に組み立てて行くタイプの一従来例を図面を参照して説明する。
【０００５】
図１３は一従来例のレンズユニットの構成を示す望遠端状態の横断面図、図１４は図１３のＡ−Ａ断面図（ａ）、Ｂ−Ｂ断面図（ｂ）及びＤ−Ｄ断面図（ｃ）である。
【０００６】
図１３と図１４において、レンズユニットの構成を説明する。１９は箱状になった箱体であり、箱体１９は図１４（ａ）において上方に開口部を有している。また、箱体１９のレンズ光軸の物体側には後述する前固定レンズ枠５１が固定されている。また箱体１９の内部には、第１案内軸３１及び第２案内軸３２の両端を位置決めする位置決め溝１９ａ及び１９ｂが設けられている。
【０００７】
３１は箱体１９の内部に設けられた光軸と平行に延びる第１案内軸であり、第１案内軸３１の両端は位置決め溝１９ａにより位置決めされている。３２は箱体の内部に設けられた光軸と平行に延びる第２案内軸であり、第２案内軸３２の両端は位置決め溝１９ｂにより位置決めされている。
【０００８】
５１はレンズＬ１を有する前固定レンズ枠であり、直接、箱体１９に固定されている。６９はレンズＬ２を有する第１可動レンズ枠であり、第１可動レンズ枠６９は光軸と平行に移動する。また、第１可動レンズ枠６９にはガイドブッシュ部６９ａ、回転止め部６９ｄが形成されている。また、ガイドブッシュ部６９ａには第１案内軸３１が摺動する孔６９ｂ及び孔６９ｃがある。回転止め部６９ｄは第２案内軸３２が摺動する長孔がある。
【０００９】
７９は第１可動レンズ枠６９と第２可動レンズ枠８９との間で光軸と平行な方向に配置され、レンズＬ３を有する固定レンズ枠である。固定レンズ枠７９は、孔７９ａ、長孔７９ｂ、突起部７９ｃ及び突起部７９ｄを有している。孔７９ａは第１案内軸３１と係合し、長孔７９ｂは第２案内軸３２と係合している。第１案内軸３１と第２案内軸３２とにより光軸と直交する方向の位置決めがなされている。また、突起部７９ｃ及び突起部７９ｄは箱体１９に設けた溝に入り光軸方向の位置決めを行っている。なお、固定レンズ枠７９は直接、箱体１９に位置決め保持しても良い。
【００１０】
８９はレンズＬ４を有する第２可動レンズ枠であり、第２可動レンズ枠８９は光軸と平行に移動する。また、第２可動レンズ枠８１はガイドブッシュ部８９ａ及び回転止め部８９ｄがある。ガイドブッシュ部８９ａには第２案内軸３２が摺動する孔８９ｂ及び孔８９ｃがある。回転止め部６９ｄに第１案内軸３１が摺動する長孔がある。
【００１１】
４９Ａは案内軸保持部材であり、案内軸保持部材４９Ａは、図１４（ａ）に示すように、爪部４９Ａａ、爪部４９Ａｂ、押さえ部４９Ａｄ及び押さえ部４９Ａｅを有している。押さえ部４９Ａｄと押さえ部４９Ａｅは箱体１１の位置決め溝４９ａで位置決めされた第１案内軸３１、また位置決め溝４９ｂで位置決めされて第２案内軸３２の一端を保持する。さらに、爪部４９Ａａと爪部４９Ａｂは、箱体１１の溝に入り案内軸保持部材４９Ａを箱体１１に固定している。
【００１２】
４９Ｂは案内軸保持部材であり、案内軸保持部材４９Ｂは前述の案内軸保持部材４９Ａと機能的に同様につき説明を省略する。また、箱体１１の背面側にフィルター２１及びＣＣＤ２２が固定されている。
【００１３】
また、第１可動レンズ枠６９を駆動するモータ２５は箱体１９の開口部の反対側から箱体１９に固定され、第１可動レンズ枠６９に取り付けられた連結部材によって、第１可動レンズ枠６９はモータ２５と連結している。第２可動レンズ枠８９についても同様で、図示しないモータが箱体１９の開口部の反対側から箱体１９に固定され、第２可動レンズ枠８９に取り付けられた図示しない連結部材によって、第２可動レンズ枠８９は図示しないモータと連結している。また、第１可動レンズ枠６９の初期位置センサ２４は図１４（ｂ）のようにモータ２５と同じ箱体側面から取り付けられ、第２可動レンズ枠８９の図示しない初期位置センサも同様である。箱体１９の開口部を図示しない蓋で覆い箱体内部は暗箱状態となっている。
【００１４】
ここで、広角端より望遠端への移動について説明する。モータ２５が駆動すると、第１可動レンズ枠６９のガイドブッシュ部６９ａが第１案内軸３１を摺動する。なお、第１可動レンズ枠６９の回転止め部６９ｄが第２案内軸３２を摺動する。
【００１５】
第１案内軸３１上を摺動する第１可動レンズ枠６９のガイドブッシュ部６９ａの孔６９ｂと孔６９ｃとの光軸と平行方向の長さＸが、光軸と第１案内軸間の距離に比べて長いほど、第１可動レンズ枠６９の移動時の作動が安定である。従ってガイドブッシュ部６９ａの前記長さＸは出来る限り長く設計することが望ましい。
【００１６】
【発明が解決しようとする課題】
しかしながら、第１可動レンズ枠６９のガイドブッシュ部６９ａの光軸と平行な方向のガイドブッシュ長Ｘが、例えば、第２可動レンズ枠８９の回転止め部８９ｄと固定レンズ７８の突起部７９ｄと干渉して長くとれない。ガイドブッシュ部６９ａのガイドブッシュ長Ｘが短いと、第１案内軸３１とガイドブッシュ部６９ａとの摺動摩擦により、摺動の円滑性が失われる。さらに、例えば、第１可動レンズ枠をズームレンズの変倍用として使用する場合、安定して摺動しないと、所謂画揺れの問題も引き起こし易い。
【００１７】
本発明は上記の課題に鑑みなされもので、本発明の目的は、箱型タイプのレンズユニットにおいて、可動レンズ枠の摺動を円滑にできるレンズユニットを提供することにある。
【００１８】
【課題を解決するための手段】
上記の目的は下記の手段のいずれかにより達成できる。
【００１９】
（１）一方向に開口部を有する箱状の箱体の内部に、少なくとも物体側より順にレンズを有する第１可動レンズ枠、他のレンズを有する第２可動レンズ枠を備えたレンズユニットにおいて、
前記箱体の内部に設けられた光軸と平行に延び、且つ光軸と直交する平面上で重ならないように配置された第１案内軸、第２案内軸及び第３案内軸と、
前記第１案内軸を摺動するガイドブッシュ部と前記第２案内軸を摺動する回転止め部とを有する前記第１可動レンズ枠と、
前記第２案内軸を摺動するガイドブッシュ部と前記第３案内軸を摺動する回転止め部とを有する前記第２可動レンズ枠と、を備え、
前記第2稼動レンズ枠に設けられたガイドブッシュ部は、前記第2稼動レンズ枠に設けられた回転止め部よりも光軸方向に長く構成され、
前記第１稼動レンズ枠に設けられたガイドブッシュ部は、前記第１稼動レンズ枠と前記第２稼動レンズ枠が光軸方向に近づいた時に、前記第２稼動レンズ枠に設けられた回転止め部の光軸方向の位置に対し、光軸方向に入り込むように前記第１稼動レンズ枠に設けられた回転止め部よりも長く構成したことを特徴とするレンズユニット。
【００２０】
（２）前記箱体の内部に、第１案内軸、第２案内軸及び第３案内軸の少なくとも１つの案内軸の両端を位置決めする位置決め溝を有することを特徴とする前記（１）に記載のレンズユニット。
【００２１】
（３）前記位置決め溝で位置決めされた前記案内軸の両端を保持する案内軸保持部材を備えたことを特徴とする前記（２）に記載のレンズユニット。
【００２２】
（４）前記案内軸保持部材が前記第１案内軸、前記第２案内軸及び前記第３案内軸の少なくとも１つの案内軸の両端を前記箱体に対して位置決めし、保持することを特徴とする前記（３）に記載のレンズユニット。
【００２３】
（５）前記（１）、（２）、（３）または（４）に記載のレンズユニットにおいて、前記第１可動レンズ枠と前記第２可動レンズ枠との間に、固定レンズを有する固定レンズ枠を備えたことを特徴とするレンズユニット。
【００２６】
（6）一方向に開口部を有する箱状の箱体の内部に、少なくとも物体側より順にレンズを有する第１可動レンズ枠、他のレンズを有する第２可動レンズ枠を備えたレンズユニットにおいて、
前記箱体の内部に設けられた光軸と平行に延び、且つ光軸と直交する平面上で重ならないように配置された光軸と平行な第１案内軸、第２案内軸、第３案内軸及び第４案内軸と、
前記第１案内軸を摺動するガイドブッシュ部と前記第２案内軸を摺動する回転止め部とを有する第１可動レンズ枠と、
前記第３案内軸を摺動するガイドブッシュ部と前記第４案内軸を摺動する回転止め部、または、前記第４案内軸を摺動するガイドブッシュ部と前記第３案内軸を摺動する回転止め部を有する第２可動レンズ枠と、を備え、
前記第１稼動レンズ枠に設けられたガイドブッシュ部は、前記第１稼動レンズ枠と前記第２稼動レンズ枠が光軸方向に近づいた時に、前記第２稼動レンズ枠に設けられた回転止め部の光軸方向の位置に対し、光軸方向に入り込むように前記第１稼動レンズ枠に設けられた回転止め部よりも長く構成し、
前記第2稼動レンズ枠に設けられたガイドブッシュ部は、前記第１稼動レンズ枠と前記第２稼動レンズ枠が光軸方向に近づいた時に、前記第1稼動レンズ枠に設けられた回転止め部の光軸方向の位置に対し、光軸方向に入り込むように前記第2稼動レンズ枠に設けられた回転止め部よりも長く構成したことを特徴とするレンズユニット。
【００２７】
（7）前記箱体に第１案内軸、第２案内軸、第３案内軸及び第４案内軸の少なくとも１つの案内軸の両端を位置決めする位置決め溝を有することを特徴とする
前記（6）に記載のレンズユニット。
【００２８】
（8）前記第１案内軸、第２案内軸、第３案内軸及び第４案内軸の少なくとも１つの両端を保持する案内軸保持部材を有することを特徴とする前記（7）に
記載のレンズユニット。
【００２９】
（9）前記案内軸保持部材が、前記第１案内軸、前記第２案内軸、前記第３案内軸及び前記第４案内軸の少なくとも１つの両端を箱体に対し位置決めし、保持することを特徴とする前記（8）に記載のレンズユニット。
【００３０】
（10）前記（6）、（7）、または（8）に記載のレンズユニットにおいて、前記第１可動レンズ枠と前記第２可動レンズ枠との間に、固定レンズを有する固定レンズ枠を備えたことを特徴とするレンズユニット。
【００３３】
【発明の実施の形態】
本発明の一実施の形態のレンズユニットについて説明する。
【００３４】
（第１の実施の形態）
図１は一実施の形態のレンズユニットの構成を示す広角端状態の横断面図（ａ）、レンズユニットの構成を示す望遠端状態の横断面図（ｂ）である。図２は図１のＡ−Ａ断面図（ａ）、Ｂ−Ｂ断面図（ｂ）及びＣ−Ｃ断面図（ｃ）、図３は図１のＤ−Ｄ断面図（ａ）及びＥ−Ｅ断面図（ｂ）である。
【００３５】
図１、図２及び図３において、レンズユニットの構成を説明する。１１は箱状になった箱体であり、箱体１１は図２（ａ）において上方に開口部を有している。また、箱体１１の内部には、第１案内軸３１及び第２案内軸３２の両端を位置決めする位置決め溝１１ａ及び１１ｃが設けられている。
【００３６】
３１は箱体１１の内部に設けられた光軸と平行に延びる第１案内軸であり、第１案内軸３１の両端は位置決め溝１１ｃにより位置決めされている。３２は箱体の内部に設けられた光軸と平行に延びる第２案内軸であり、第２案内軸３２の両端は位置決め溝１１ａにより位置決めされている。３３は箱体の内部に設けられた光軸と平行に延びる第３案内軸であり、後述する、案内軸保持部材４１Ａと４１Ｂにより位置決め保持されている。
【００３７】
５１はレンズＬ１を有する前固定レンズ枠であり、直接、箱体１１に固定されている。６１はレンズＬ２を有する第１可動レンズ枠であり、第１可動レンズ枠６１は光軸と平行に移動する。また、第１可動レンズ枠６１にはガイドブッシュ部６１ａ、回転止め部６１ｄが形成され、ガイドブッシュ部６１ａには第１案内軸３１が摺動する孔６１ｂと孔６１ｃがあり、孔６１ｂと孔６１ｃの間隔であるガイドブッシュ長Ｘは大きくとってある。回転止め部６１ｄは第２案内軸３２が摺動する長孔がある。
【００３８】
７１は固定レンズ枠であり、固定レンズ枠は第１可動レンズ枠６１と第２可動レンズ枠８１との間に配置されており、レンズＬ３を有する固定レンズ枠である。固定レンズ枠７１は図２（ｃ）に示すように、孔７１ａ、長孔７１ｂ、突起部７１ｃ、突起部７１ｄ及び突起部７１ｅを有している。孔７１ａは第２案内軸３２と係合し、長孔７１ｂは第３案内軸３３と係合している。第２案内軸３２と第３案内軸３３とにより光軸と直交する方向の位置決めがなされている。また、突起部７１ｃ、突起部７１ｄ及び突起部７１ｅは箱体１１に設けた溝に入り光軸と平行方向の位置決めと保持を行っている。なお、固定レンズ枠７１は直接、箱体１１に位置決め保持しても良い。
【００３９】
８１はレンズＬ４を有する第２可動レンズ枠であり、第２可動レンズ枠８１は光軸と平行に移動する。また、第２可動レンズ枠８１はガイドブッシュ部８１ａ、回転止め部８１ｄがある。ガイドブッシュ部８１ａには第２案内軸３２が摺動する孔８１ｂと孔８１ｃがあり、回転止め部６１ｄには第１案内軸３１が摺動する長孔がある。
【００４０】
４１Ａは案内軸保持部材であり、案内軸保持部材４１Ａは、図２（ａ）に示すように、爪部４１Ａａ、爪部４１Ａｂ、押さえ部４１Ａｄ、押さえ部４１Ａｅ、及び孔４１Ａｃを有している。押さえ部４１Ａｅと押さえ部４１Ａｄは箱体１１の位置決め溝４１ａで位置決めされた第１案内軸３１と第２案内軸３２の一端をそれぞれ保持する。孔４１Ａｃは第３案内軸３３を位置決め保持する。さらに、爪部４１Ａａと爪部４１Ａｂは箱体１１の溝に入り案内軸保持部材４１Ａを箱体１１に固定する。
【００４１】
４１Ｂは案内軸保持部材であり、案内軸保持部材４１Ｂは、図３（ｂ）に示すように、爪部４１Ｂａ、爪部４１Ｂｂ、押さえ部４１Ｂｄ、押さえ部４１Ｂｅ、及び孔４１Ｂｃを有している。押さえ部４１Ｂｅと押さえ部４１Ｂｄは箱体１１の位置決め溝１１ｃ、１１ａで位置決めされた第１案内軸３１と第２案内軸３２の他端をそれぞれ保持する。孔４１Ｂｃは第３案内軸３３を位置決め保持する。さらに、爪部４１Ｂａと爪部４１Ｂｂは箱体１１の溝に入り案内軸保持部材４１Ｂを箱体１１に固定する。また、箱体１１の背面側にはフィルター２１とＣＣＤ２２が固定されている。
【００４２】
ここで広角端より望遠端への第１可動レンズ枠６１の移動について説明する。モータ２５が駆動すると、第１可動レンズ枠６１のガイドブッシュ部６１ａが第１案内軸３１を摺動する。また、第１可動レンズ枠６１の回転止め部６１ｄが第２案内軸３２を摺動する。
【００４３】
以上により、第１可動レンズ枠６１は光軸と平行な方向に円滑に作動する。第１可動レンズ枠６１の移動に際して、固定レンズ枠７１と第２可動レンズ枠８１が移動時に障害とはならないので、第１可動レンズ枠６１が最も望遠時における第１案内軸３１の末端までガイドブッシュ長Ｘを伸ばすことができるので、作動時の安定性が向上し、かつ、第１可動レンズ枠６１をズームレンズの変倍用として使用する場合、画揺れが少なく、従来例から一本加わった案内軸を支える部材は、従来から存在する２つの案内軸保持部材４１Ａ及び４１Ｂを使用しているので、特にコストアップにはならない。部品点数としては、案内軸一本のみの増加ですみ、従来からある案内軸と共通部品であるので、コスト上も有利である。
【００４４】
（第２の実施の形態）
第２の実施の形態は前記第１の実施の形態の変形例である。図４は他の実施の形態のレンズユニットの構成を示す望遠端状態の横断面図、図５は図４のＡ−Ａ断面図（ａ）、Ｂ−Ｂ断面図（ｂ）及びＤ−Ｄ断面図（ｃ）である。第１の実施の形態と機構的に同じ部材は同一符号を付け一部説明を省略し、また、異なる部分を中心に説明する。
【００４５】
図４及び図５において、レンズユニットの構成を説明する。１２は箱状になった箱体であり、箱体１２は図５（ａ）において上方に開口部を有している。また箱体１２の内部には、第１案内軸３１の両端を位置決めする位置決め溝１２ａが設けられている。
【００４６】
３１は箱体１２の内部に設けられた光軸と平行に延びる第１案内軸であり、第１案内軸３１の両端は位置決め溝１２ａにより位置決めされている。３２は箱体の内部に設けられた光軸と平行に延びる第２案内軸であり、第２案内軸３２の両端は後述する案内軸保持部材４２Ａ及び４２Ｂの孔４２Ａａにより位置決め保持されている。また、第２案内軸３２は案内軸保持部材４２Ｂの図示しない孔により位置決め保持されている。
【００４７】
３３は箱体の内部に設けられた光軸と平行に延びる第３案内軸であり、後述する案内軸保持部材４２Ａの孔４２Ａｂにより位置決め保持されている。第３案内軸３３は案内軸保持部材４２Ｂの図示しない孔により位置決め保持されている。
【００４８】
５１はレンズＬ１を有する前固定レンズ枠であり、直接、箱体１２に固定されている。６２はレンズＬ２を有する第１可動レンズ枠であり、第１可動レンズ枠６２は光軸と平行に移動する。また、第１可動レンズ枠６２にはガイドブッシュ部６２ａ、回転止め部６１ｄが形成され、ガイドブッシュ部６１ａには第１案内軸３１が摺動する孔６２ｂと孔６２ｃがあり、孔６２ｂと孔６２ｃの間隔であるガイドブッシュ長Ｘは大きくとってある。回転止め部６２ｄには第２案内軸３２が摺動する長孔がある。
【００４９】
７２は第１可動レンズ枠６２と第２可動レンズ枠８２との間に配置されており、レンズＬ３を有する固定レンズ枠である。孔７２ａは第２案内軸３２と係合しており、長孔７２ｂは第３案内軸３３と係合している。なお、固定レンズ枠７１は直接、箱体１１に位置決め保持しても良い。
【００５０】
８２はレンズＬ３を有する第２可動レンズ枠であり、第２可動レンズ枠８２は光軸と平行に移動する。また、第２可動レンズ枠８２はガイドブッシュ部８２ａ、回転止め部８２ｄがあり、ガイドブッシュ部８２ａには第２案内軸３２が摺動する孔８２ｂと孔８２ｃがある。回転止め部６２ｄは第３案内軸３３が摺動する長孔がある。
【００５１】
４２Ａは案内軸保持部材であり、図５（ａ）に示すように、爪部４２Ａｅ、爪部４１Ａｆ、押さえ部４２Ａｃ、押さえ部４２Ａｄ、孔４２Ａａ及び孔４２Ａｂを有している。押さえ部４２Ａｄは箱体１２の位置決め溝１２ａで位置決めされた第１案内軸３１の一端を保持する。孔４２Ａｂは第３案内軸３３を位置決め保持する。孔４２Ａａは第２案内軸３２を位置決め保持する。さらに、爪部４２Ａｅと爪部４１Ａｆは箱体１２の溝に入り案内軸保持部材４１Ａを箱体１２に固定する。４１Ｂは案内軸保持部材であり、前記案内軸保持部材４１Ａと同様である。箱体１２の背面側にはフィルター２１とＣＣＤ２２が固定されている。
【００５２】
ここで広角端より望遠端への第１可動レンズ枠の移動について説明する。モータ２５が駆動すると、第１可動レンズ枠６２のガイドブッシュ部６２ａが第１案内軸３１を摺動する。第１可動レンズ枠６２の回転止め部６２ｄが第２案内軸３２を摺動する。
【００５３】
以上により、第１可動レンズ枠６２は第１案内軸３１上を固定レンズ枠７２、第２可動レンズ枠８２に干渉されることなく円滑に作動する。
【００５４】
（第３の実施の形態）
第３の実施の形態は前記第１の実施の形態の変形例である。図６は他の実施の形態のレンズユニットの構成を示す望遠端状態の横断面図、図７は図６のＡ−Ａ断面図（ａ）、Ｂ−Ｂ断面図（ｂ）及びＤ−Ｄ断面図（ｃ）である。第１の実施の形態と機構的に同じ部材は同一符号を付け一部説明を省略し、また、異なる部分を中心に説明する。
【００５５】
図６及び図７において、レンズユニットの構成を説明する。１３は箱状になった箱体であり、箱体１３は図７（ａ）において上方に開口部を有している。また箱体１３の内部には、第１案内軸３１、第２案内軸３２及び第３案内軸３３の両端を位置決めする位置決め溝１３ａ、位置決め溝１３ｂ及び位置決め溝１３ｃがそれぞれ設けられている。
【００５６】
３１は箱体１３の内部に設けられた光軸と平行に延びる第１案内軸であり、第１案内軸３１の両端は位置決め溝１３ａにより位置決めされている。３２は箱体の内部に設けられた光軸と平行に延びる第２案内軸であり、第２案内軸３２の両端は位置決め溝１３ｂにより位置決めされている。３３は箱体の内部に設けられた光軸と平行に延びる第３案内軸であり、第３案内軸３３の両端は位置決め溝１３ｃにより位置決めされている。
【００５７】
５１はレンズＬ１を有する前固定レンズ枠であり、直接、箱体１３に固定されている。６３はレンズＬ２を有する第１可動レンズ枠であり、第１可動レンズ枠６２は光軸と平行に移動する。また、第１可動レンズ枠６２にはガイドブッシュ部６３ａ、回転止め部６３ｄが形成されている。ガイドブッシュ部６３ａには第１案内軸３１が摺動する孔６３ｂと孔６３ｃがあり、孔６３ｂと孔６３ｃの間隔であるガイドブッシュ長Ｘは大きくとってある。回転止め部６３ｄは第２案内軸３２が摺動する長孔がある。
【００５８】
７３は第１可動レンズ枠６３と第２可動レンズ枠８３との間に配置されており、レンズＬ３を有する固定レンズ枠である。孔７３ａは第２案内軸３２と係合しており、長孔７３ｂは第３案内軸を係合している。なお、固定レンズ枠７１は直接、箱体１３に位置決め保持しても良い。
【００５９】
８３はレンズＬ３を有する第２可動レンズ枠であり、第２可動レンズ枠８３は光軸と平行に移動する。また、第２可動レンズ枠８３はガイドブッシュ部８３ａ、回転止め部８３ｄがある。ガイドブッシュ部８３ａには第２案内軸３２が摺動する孔８３ｂと孔８３ｃがあり、孔８３ｂと孔８３ｂとの間隔であるガイドブッシュ長Ｘは大きくしてある。回転止め部６３ｄは第１案内軸３１が摺動する長孔がある。
【００６０】
４３Ａは案内軸保持部材であり、図７（ａ）に示すように、爪部４３Ａａ、爪部４３Ａｂ、押さえ部４３Ａｃ、押さえ部４３Ａｄ及び押さえ部４３Ａｅを有している。押さえ部４３Ａｄは箱体１３の位置決め溝１３ａで位置決めされた第１案内軸３１の一端を保持する。押さえ部４３Ａｃは箱体１３の位置決め溝１３ｂで位置決めされた第２案内軸３２の一端を保持する。押さえ部４３Ａｅは箱体１３の位置決め溝１３ｃで位置決めされた第３案内軸３３の一端を保持する。爪部４３Ａａ、爪部４３Ａｂは箱体１３の溝に入り案内軸保持部材４３Ａを箱体１３に固定する。４３Ｂは案内軸保持部材であり、前記案内軸保持部材４３Ａと同様である。箱体１３の背面側にはフィルター２１及びＣＣＤ２２が固定されている。
【００６１】
ここで広角端より望遠端への第１可動レンズ枠の移動について説明する。モータ２５が駆動すると、第１可動レンズ枠６３のガイドブッシュ部６３ａが第１案内軸３１を摺動する。第１可動レンズ枠６３の回転止め部６３ｄが第２案内軸３２を摺動する。
【００６２】
以上により、第１可動レンズ枠６３は第１案内軸上を固定レンズ枠７３、第２可動レンズ枠８３に干渉されることなく円滑に作動する。
【００６３】
（第４の実施の形態）
図８は実施の形態のレンズユニットの構成を示す望遠端状態の横断面図、図９は図８のＡ−Ａ断面図（ａ）、Ｂ−Ｂ断面図（ｂ）及びＣ−Ｃ断面図（ｃ）、図１０は図８のＤ−Ｄ断面図（ａ）及びＥ−Ｅ断面図（ｂ）である。
【００６４】
図８、図９及び図１０において、レンズユニットの構成を説明する。１４は箱状になった箱体であり、箱体１４は図９（ａ）において上方に開口部を有している。また、箱体１４のレンズ光軸の物体側には後述する前固定レンズ枠５１が固定されている。また箱体１４の内部には、第１案内軸３１と第２案内軸３２の両端を位置決めする位置決め溝１４ａ及び位置決め溝１４ｃがそれぞれ設けられている。
【００６５】
３１は箱体１４の内部に設けられた光軸と平行に延びる第１案内軸であり、第１案内軸３１の両端は位置決め溝１４ｃにより位置決めされている。３４は箱体の内部に設けられた光軸と平行に延びる第４案内軸であり、第４案内軸３４の両端は位置決め溝１４ａにより位置決めされている。３３は箱体の内部に設けられた光軸と平行に延びる第３案内軸であり、後述する、案内軸保持部材４４Ａ及び４４Ｂにより位置決め保持されている。３２は箱体の内部に設けられた光軸と平行に延びる第２案内軸であり、後述する、案内軸保持部材４４Ａ及び４４Ｂにより位置決め保持されている。
【００６６】
５１はレンズＬ１を有する前固定レンズ枠であり、直接、箱体１４に固定されている。６４はレンズＬ２を有する第１可動レンズ枠であり、第１可動レンズ枠６４は光軸と平行に移動する。また、第１可動レンズ枠６４にはガイドブッシュ部６４ａ、回転止め部６４ｄが形成されている。ガイドブッシュ部６４ａには第１案内軸３１が摺動する孔６４ｂと孔６４ｃがあり、孔６４ｂと孔６４ｃの間隔のガイドブッシュ長Ｘは長くしてある。回転止め部６４ｄは第２案内軸３２が摺動する長孔がある。
【００６７】
７４は第１可動レンズ枠６４と第２可動レンズ枠８４との間に配置されており、レンズＬ３を有する固定レンズ枠である。固定レンズ枠７４は図９（ｃ）に示すように、孔７４ａ、長孔７４ｂ、突起部７４ｃ、突起部７４ｄ及び突起部７４ｅを有している。孔７４ａは第２案内軸と係合し、長孔７４ｂは第３案内軸３３と係合している。第２案内軸３２と第３案内軸３３とにより光軸と直交する方向の位置決めがなされている。また、突起部７４ｃ、突起部７４ｄ及び突起部７４ｅは箱体１４に設けた溝に光軸方向の位置決めを行っている。なお、固定レンズ枠７４は直接、箱体１４に位置決め保持しても良い。
【００６８】
８４はレンズＬ３を有する第２可動レンズ枠であり、第２可動レンズ枠８４は光軸と平行に移動する。また、第２可動レンズ枠８４はガイドブッシュ部８４ａ、回転止め部８４ｄがある。ガイドブッシュ部８４ａには第４案内軸３４が摺動する孔８４ｂ及び孔８４ｃがある。回転止め部８４ｄは第３案内軸３３が摺動する長孔がある。
【００６９】
４４Ａは案内軸保持部材であり、案内軸保持部材４４Ａは、図９（ａ）に示すように、爪部４４Ａａ、爪部４４Ａｂ、押さえ部４４Ａｄ、押さえ部４４Ａｅ孔４４Ａｃ及び孔４４Ａｆを有している。押さえ部４４Ａｄ及び押さえ部４４Ａｅは箱体１４の位置決め溝４４ａで位置決めされた第１案内軸３１及び第４案内軸３４の一端を保持する。孔４４Ａｃと孔４４Ａｆは第２案内軸３２と第３案内軸３３をそれぞれ位置決め保持する。さらに、爪部４４Ａａ及び爪部４４Ａｂは箱体１４の溝に入り案内軸保持部材４４Ａを箱体１４に固定する。
【００７０】
４４Ｂは案内軸保持部材であり、案内軸保持部材４４Ｂは、図１０（ｂ）に示すように、爪部４４Ｂａ、爪部４４Ｂｂ、押さえ部４４Ｂｄ、押さえ部４４Ｂｅ孔４４Ｂｃ及び孔４４Ｂｆを有している。押さえ部４４Ｂｄ及び押さえ部４４Ｂｅは箱体１４の位置決め溝１４ｃ及び１４ａで位置決めされた第１案内軸３１及び第４案内軸３４の一端をそれぞれ保持する。孔４４Ｂｃ及び４４Ｂｆは第２案内軸３２及び第３案内軸３３を位置決め保持する。さらに、爪部４４Ｂａ及び爪部４４Ｂｂは箱体１４の溝に入り案内軸保持部材４４Ｂを箱体１４に固定する。箱体１４の背面側にはフィルター２１及びＣＣＤ２２が固定されている。
【００７１】
ここで、広角端より望遠端への第１可動レンズ枠６４の移動について説明する。モータ２５が駆動すると、第１可動レンズ枠６４のガイドブッシュ部６４ａが第１案内軸３１を摺動する。第１可動レンズ枠６４の回転止め部６４ｄが第２案内軸３２を摺動する。以上により、第１可動レンズ枠６４は光軸と平行な方向に円滑に作動する。第１可動レンズ枠６４の移動に関して、固定レンズ枠７４及び第２可動レンズ枠８４が移動時の障害とはならないので、第１可動レンズ枠６４が最も望遠時における案内軸の末端までガイドブッシュ長Ｘを伸ばすことができる。作動時の安定性が向上し、かつ、第１可動レンズ枠６４がズームレンズの変倍用として使用する場合、画揺れが少なくなる。
【００７２】
（第５の実施の形態）
第５の実施の形態は前記第４の実施の形態の変形例である。図１１は他の実施の形態のレンズユニットの構成を示す望遠端状態の横断面図、図１２は図１１のＡ−Ａ断面図（ａ）、Ｂ−Ｂ断面図（ｂ）及びＤ−Ｄ断面図（ｃ）である。第４の実施の形態と機構的に同じ部材は同一符号を付け一部説明を省略し、また、異なる部分を中心に説明する。
【００７３】
図１１及び図１２において、レンズユニットの構成を説明する。１５は箱状になった箱体であり、箱体１５は図１２（ａ）において上方に開口部を有している。また箱体１５の内部には、第１案内軸３１、第２案内軸３２、第３案内軸３３及び第４案内軸３４の両端を位置決めする位置決め溝１５ａ、１５ｃ、１５ｄ及び１５ｂがそれぞれ設けられている。
【００７４】
３１は箱体１５の内部に設けられた光軸と平行に延びる第１案内軸であり、第１案内軸３１の両端は位置決め溝１５ａにより位置決めされている。３４は箱体の内部に設けられた光軸と平行に延びる第４案内軸であり、第４案内軸３４の両端は位置決め溝１５ｂにより位置決めされている。３３は箱体の内部に設けられた光軸と平行に延びる第３案内軸であり、位置決め溝１５ｄにより位置決めされている。３２は箱体の内部に設けられた光軸と平行に延びる第２案内軸であり、位置決め溝１５ｃにより位置決めされている。
【００７５】
５１はレンズＬ１を有する前固定レンズ枠であり、直接、箱体１５に固定されている。６５はレンズＬ２を有する第１可動レンズ枠であり、第１可動レンズ枠６５は光軸と平行に移動する。また、第１可動レンズ枠６５にはガイドブッシュ部６５ａ、回転止め部６５ｄが形成されている。ガイドブッシュ部６５ａには第１案内軸３１が摺動する孔６５ｂと孔６５ｃがあり、孔６５ｂと孔６５ｃとの間のガイドブッシュ長Ｘは長くしてある。回転止め部６５ｄには第２案内軸３２が摺動する長孔がある。
【００７６】
８５はレンズＬ３を有する第２可動レンズ枠であり、第２可動レンズ枠８５は光軸と平行に移動する。また、第２可動レンズ枠８５にはガイドブッシュ部８５ａ、回転止め部８５ｄがある。ガイドブッシュ部８５ａには第４案内軸３４が摺動する孔８５ｂ及び孔８５ｃがある。回転止め部６５ｄは第３案内軸３３が摺動する長孔がある。
【００７７】
７５は第１可動レンズ枠６５と第２可動レンズ枠８５との間に配置され、レンズＬ３を有する固定レンズ枠である。固定レンズ枠７５は、孔７５ａ、長孔７５ｂを有している。孔７５ａは第２案内軸３２と係合し、長孔７５ｂは第３案内軸３３と係合している。第２案内軸３２と第３案内軸３３とにより光軸と直交する方向の位置決めがなされる。また、突起部７５ｃ及び突起部７５ｄは箱体１５に設けた溝に入り光軸方向の位置決めを行っている。なお、固定レンズ枠７５は直接、箱体１５に位置決め保持しても良い。
【００７８】
４５Ａは案内軸保持部材であり、案内軸保持部材４５Ａは、図１２（ａ）に示すように爪部４５Ａｅと爪部４５Ａｆ、押さえ部４５Ａａから押さえ部４５Ａｄを有している。４つの押さえ部は箱体１５の位置決めされた第１案内軸３１、第４案内軸３４、第２案内軸３２及び第３案内軸３３をそれぞれ位置決め保持する。２つの爪部は箱体１５の溝に入り案内軸保持部材４５Ａを箱体１５に固定する。
【００７９】
４５Ｂは案内軸保持部材であり、案内軸保持部材４５Ｂは、案内軸保持部材４５Ａと同様である。箱体１５の背面側にはフィルター２１及びＣＣＤ２２が固定されている。
【００８０】
ここで広角端より望遠端への第１可動レンズ枠６５の移動について説明する。モータ２５が駆動すると、第１可動レンズ枠６５のガイドブッシュ部６５ａが第１案内軸３１を摺動する。第１可動レンズ枠６５の回転止め部６５ｄが第２案内軸３２を摺動する。以上により、第１可動レンズ枠６５が光軸と平行な方向に円滑に作動する。
【００８１】
なお、上記実施の形態では、レンズユニットの構成として、物体側より順に前固定レンズ枠、第１可動レンズ枠、固定レンズ枠及び第２可動レンズ枠の例について説明したが、これに限定されるものではなく、例えば、物体側より順に前固定レンズ枠、第１可動レンズ枠及び第２可動レンズ枠でもよく、また、第１可動レンズ枠、固定レンズ枠及び第２可動レンズでもよく、さらに、第１可動レンズ枠及び第２可動レンズでもよい。
【0082】
【発明の効果】
上記のように構成したので下記のような効果を奏する。請求項１に記載の発明によれば、第１案内軸を摺動するガイドブッシュ部と第２案内軸を摺動する回転止め部とを有する第１可動レンズ枠と、第２案内軸を摺動するガイドブッシュ部と、第３案内軸を摺動する回転止め部とを有する第２可動レンズ枠を有し、第１可動レンズ枠、第２可動レンズ枠のガイドブッシュ長さを長くしたので、第１可動レンズ枠、第２可動レンズ枠の摺動が円滑となる。
【００８３】
請求項２に記載の発明によれば、箱体の内部に、第１案内軸、第２案内軸及び第３案内軸の少なくとも１つの案内軸の両端を位置決めする位置決め溝を有するので、位置決めが正確で、且つ確実となる。
【００８４】
請求項３に記載の発明によれば、箱体の位置決め溝で位置決めされた案内軸の両端を保持する案内軸保持部材を備えたので、保持が簡単で且つ確実である。
【００８５】
請求項４に記載の発明によれば、案内軸保持部材が第１案内軸、第２案内軸及び第３案内軸の少なくとも１つの案内軸の両端を箱体に対して位置決めし、保持するので、簡易で確実に、位置決めと保持が同時にできる。
【００８６】
請求項５に記載の発明によれば、第１可動レンズ枠と第２可動レンズ枠との間に、固定レンズ枠を有していても、移動が制限されることなく、第１可動レンズ枠、第２可動レンズ枠のガイドブッシュ長を大きくとれるので、第１可動レンズ枠、第２可動レンズ枠の摺動が円滑となる。
【００８９】
請求項6に記載の発明によれば、箱体の内部に設けられた光軸と平行に延びる光軸と平行な第１案内軸、第２案内軸、第３案内軸及び第４案内軸と、第１案内軸を摺動するガイドブッシュ部と第２案内軸を摺動する回転止め部とを有する第１可動レンズ枠と、第３案内軸を摺動するガイドブッシュ部と第４案内軸を摺動する回転止め部、または、第４案内軸を摺動するガイドブッシュ部と第３案内軸を摺動する回転止め部を有する第２可動レンズ枠とを備えたので、第１可動レンズ枠、第２可動レンズ枠の摺動が円滑となる。
【００９０】
請求項7に記載の発明によれば、箱体に第１案内軸、第２案内軸、第３案内軸及び第４案内軸の少なくとも１つの両端を位置決めする位置決め溝を有するので、位置決めが正確で、且つ確実に行える。
【００９１】
請求項8に記載の発明によれば、第１案内軸、第２案内軸、第３案内軸及び第４案内軸の少なくとも１つの両端を保持する案内軸保持部材を有するので、保持が簡単、且つ確実に行える。
【００９２】
請求項9に記載の発明によれば、案内軸保持部材が第１案内軸、第２案内軸第３案内軸及び第４案内軸の少なくとも1つの案内軸の両端を箱体に対して位置決めし、保持
するので、簡易で確実に、位置決めと保持が同時に行える。
【００９３】
請求項10に記載の発明によれば、第１可動レンズ枠と第２可動レンズ枠との間に、固定レンズ枠を有していても、移動が制限されることなく、第１可動レンズ枠、第２可動レンズ枠のガイドブッシュ長を大きくとれるので、第１可動レンズ枠、第２可動レンズ枠の摺動が円滑となる。
【図面の簡単な説明】
【図１】レンズユニットの構成を示す広角端状態の横断面図（ａ）、レンズユニットの構成を示す望遠端状態の横断面図（ｂ）である。
【図２】図１のＡ−Ａ断面図（ａ）、Ｂ−Ｂ断面図（ｂ）及びＣ−Ｃ断面図（ｃ）である。
【図３】図１のＤ−Ｄ断面図（ａ）及びＥ−Ｅ断面図（ｂ）である。
【図４】他のレンズユニットの構成を示す望遠端状態の横断面図である。
【図５】図４のＡ−Ａ断面図（ａ）、Ｂ−Ｂ断面図（ｂ）及びＤ−Ｄ断面図（ｃ）である。
【図６】他のレンズユニットの構成を示す望遠端状態の横断面図である。
【図７】図６のＡ−Ａ断面図（ａ）、Ｂ−Ｂ断面図（ｂ）及びＤ−Ｄ断面図（ｃ）である。
【図８】他のレンズユニットの構成を示す望遠端状態の横断面図である。
【図９】図８のＡ−Ａ断面図（ａ）、Ｂ−Ｂ断面図（ｂ）及びＣ−Ｃ断面図（ｃ）である。
【図１０】図８のＤ−Ｄ断面図（ａ）及びＥ−Ｅ断面図（ｂ）である。
【図１１】他のレンズユニットの構成を示す望遠端状態の横断面図である。
【図１２】図１１のＡ−Ａ断面図（ａ）、Ｂ−Ｂ断面図（ｂ）及びＤ−Ｄ断面図（ｃ）である。
【図１３】従来例のレンズユニットの構成を示す望遠端状態の横断面図である。
【図１４】図１３のＡ−Ａ断面図（ａ）、Ｂ−Ｂ断面図（ｂ）及びＤ−Ｄ断面図（ｃ）である。
【符号の説明】
１１、１４  箱体
１１ａ  位置決め溝
１１ｂ  回転止め部
３１  第１案内軸
３２  第２案内軸
３３  第３案内軸
３４  第４案内軸
４１Ａ、４１Ｂ、４４Ａ、４４Ｂ  案内軸保持部材
６１、６４  第１可動レンズ枠
６１ａ、６４ａ  ガイドブッシュ部
６１ｄ、６４ｄ  回転止め部
Ｌ２  レンズ
７１、７４  固定レンズ枠
８１、８４  第２可動レンズ枠
８１ａ、８４ａ  ガイドブッシュ部
８１ｂ、８４ｂ  回転止め部
Ｌ４  レンズ
【図１】
0004214652.tif 000002
【図２】
0004214652.tif 000003
【図３】
0004214652.tif 000004
【図４】
0004214652.tif 000005
【図５】
0004214652.tif 000006
【図６】
0004214652.tif 000007
【図７】
0004214652.tif 000008
【図８】
0004214652.tif 000009
【図９】
0004214652.tif 000010
【図１０】
0004214652.tif 000011
【図１１】
0004214652.tif 000012
【図１２】
0004214652.tif 000013
【図１３】
0004214652.tif 000014
【図１４】
0004214652.tif 000015